(57)【要約】【課題】上カバーの軽量化を図るとともに、剛性の低下を防止する。【解決手段】ディスク装置２は、ディスク４が装着されるトレイユニット５が、ケース９から出し入れ可能に設けられている。トレイユニット５を、ケース９内部に収納すると、ディスク４は、ディスク装填方向Ａに移動して記録／再生位置にセットされる。ケース９は、薄板金属製のケース本体７及び上カバー８から構成される。上カバー８には、凹凸部４１が形成されている。凹凸部４１は、ディスク装填方向Ａと直交するＢ方向で、ケース本体７に支持された両端付近まで延びているから、上カバー８の軽量化を図るとともに、剛性低下を防止する。【選択図】図３
2010055701.tif 000002
【特許請求の範囲】
【請求項１】
装填されたディスクにデータを記録／再生するディスク記録／再生部と、
前記ディスク記録／再生部を収納するケース本体と、
前記ケース本体を覆うように配置され、周辺部が前記ケース本体に固定された上カバーと、
前記上カバーに形成され、前記ディスクの装填方向と直交する方向に延びた複数の凹凸部と、を備えたことを特徴とするディスク装置。
【請求項２】
前記凹凸部は、プレス加工によって形成されることを特徴とする請求項１記載のディスク装置。
【請求項３】
前記凹凸部は、前記周辺部の近くまで延びていることを特徴とする請求項２記載のディスク装置
【請求項４】
前記ディスク記録／再生部は、前記ディスクを保持するチャッキングヘッドを備え、
前記上カバーには、前記チャッキングヘッドに接触しないようにするためのヘッド逃げ孔が形成され、
前記凹凸部は、少なくとも前記上カバーの前側端部から前記ヘッド逃げ孔まで形成されていることを特徴とする請求項２または３記載のディスク装置。
【発明の詳細な説明】
【技術分野】
【０００１】
本発明は、電子機器等に用いられるディスク装置に関するものである。
【背景技術】
【０００２】
ディスク装置は、ターンテーブルに装着されたディスクを回転させながら、ピックアップヘッドを移動して、ディスクにデータを高密度で記録したり、あるいはディスクのデータを読み出して再生する。このディスク装置は、電子機器、例えばパソコン本体等に内蔵されたり、あるいは外付けされて用いられる。
【０００３】
ディスク装置は、ケース前面に設けられたスロットからディスクを装填するスロットインタイプや、ディスクトレイを介してディスクを装填するトレイタイプがある。スロットインタイプのディスク装置では、ケース内部にディスク記録／再生部が収納され、ケース前面のスロットからディスクを挿入する。トレイタイプのディスク装置では、ディスクトレイにディスク記録／再生部が搭載されている。ディスクトレイは、ケース内部に収納される収納位置と、ケースから引き出された引出し位置との間で移動可能であり、引出位置に位置するディスクトレイにディスクを載せた後、ディスクトレイを収納位置に移動する。スロットインタイプ及びトレイタイプのいずれのディスク装置でも、ケースは、ディスク記録／再生部を収納するケース本体と、このケース本体の上に取り付けられる上カバーとから構成される。
【０００４】
ノートパソコンは、全体の軽量化を図るために、内蔵タイプのディスク装置の軽量化が求められている。同様に、外付けタイプのディスク装置も、携帯されるものであるから、軽量化が求められている。ディスク装置の軽量化を図るために、上カバーの板厚を薄くすることが考えられる。
【０００５】
ディスク回転時には、ディスクと上カバーとの間で発生する負圧により、上カバーがディスクに向かって下方向に引っ張られる。上カバーの板厚を薄くすると、剛性が低くなるため、上記負圧により撓んでしまい、ディスクに接触するという問題があった。そこで、特許文献１では、円形の凹凸部を、ディスクの回転軸線を中心とする同心円状に、上カバーに形成し、剛性の低下を抑制しつつ、軽量化を実現するディスク装置が提案されている。
【特許文献１】特開２００７−２６５４７０号公報
【発明の開示】
【発明が解決しようとする課題】
【０００６】
特許文献１では、ディスク回転時に発生する負圧による上カバーの撓みを防止することはできるが、上方から押される力に対する剛性は低いため、外力により押された場合には、上カバーが撓んでしまうことがある。例えば、ノートパソコンでは、ディスク装置の上方にキーボード等が配されており、キーボードの操作時には、上カバーが押されるため、上カバーが撓んで、ディスクに接触してしまう。また、内蔵タイプのディスク装置では、グランドを取るために、金属製の板バネを上カバーに押し付けており、この板バネの付勢力により上カバーが撓んで、ディスクに接触することがある。
【０００７】
本発明は、上記課題を解決するためになされたものであり、軽量化を図りながらも、剛性の低下を防止することができるディスク装置を提供することを目的とする。
【課題を解決するための手段】
【０００８】
上記目的を達成するために、本発明のディスク装置は、装填されたディスクにデータを記録／再生するディスク記録／再生部と、前記ディスク記録／再生部を収納するケース本体と、前記ケース本体を覆うように配置され、周辺部が前記ケース本体に固定された上カバーと、前記上カバーに形成され、前記ディスクの装填方向と直交する方向に延びた複数の凹凸部と、を備えたことを特徴とする。
【０００９】
また、前記凹凸部は、プレス加工によって形成されることが好ましい。さらに、前記凹凸部は、前記周辺部の近くまで延びていることが好ましい。
【００１０】
また、前記ディスク記録／再生部は、前記ディスクを保持するチャッキングヘッドを備え、前記上カバーには、前記チャッキングヘッドに接触しないようにするためのヘッド逃げ孔が形成され、前記凹凸部は、少なくとも前記上カバーの前側端部から前記ヘッド逃げ孔まで形成されていることが好ましい。
【発明の効果】
【００１１】
本発明によれば、ディスクの装填方向と直交する方向に延びる複数の凹凸部を、上カバーに設けたから、上カバーの板厚を従来よりも薄くして軽量化した場合にも、上方から押される力に対する剛性を、従来と同程度にすることができる。これにより、軽量化を図りながらも、上カバーの剛性低下を防止することができる。
【発明を実施するための最良の形態】
【００１２】
図１において、ノート型パソコン３は、ディスク装置２がパソコン本体３ａに組み込まれている。このディスク装置２の上方には、キーボード３ｂが設けられている。ディスク装置２は、ディスク４が装着されるトレイユニット５と、イジェクトボタン６ａが設けられたフロントカバー６と、トレイユニット５を出し入れ可能にするケース９（図３参照）とを備える。このケース９は、金属の薄板で作られたケース本体７及び上カバー８（図３参照）から構成されている。
【００１３】
図２に示すように、ケース本体７の両側には、左スライドレール１１と右スライドレール１２とが、スライド自在に取り付けられている。トレイユニット５は、各スライドレール１１，１２に対して移動自在に支持されており、ケース９内部に収納される収納位置（図３参照）と、ケース９から引き出された引出位置（図２参照）との間で移動する。トレイユニット５を、引出位置から収納位置に移動すると、ディスク４はディスク装填方向Ａに移動され、記録／再生位置にセットされる。
【００１４】
ケース本体７には、イジェクトバネ１５が設けられ、トレイユニット５を収納位置でロックすると、イジェクトバネ１５がチャージされた状態となる。
【００１５】
トレイユニット５は、ディスク４が載せられるディスクトレイ１７と、ピックアップヘッド１８と、ディスク４を保持して回転するディスク駆動部１９とを備える。ピックアップヘッド１８は、ディスク４の半径方向に移動自在に設けられている。ピックアップヘッド１８は、ディスク駆動部１９により回転されるディスク４にデータを記録／再生する。本実施形態では、ディスク記録／再生部は、ピックアップヘッド１８とディスク駆動部１９とから構成される。
【００１６】
ディスク駆動部１９には、ディスク４を回転させるスピンドルモータ２１（図５参照）が設けられており、スピンドルモータ２１の駆動軸には、ターンテーブル２２が固定されている。このターンテーブル２２には、チャッキングヘッド２３が一体に形成されている。ディスク４をディスクトレイ１７に載せてから押し込むと、ディスク４のディスク孔４ａ（図１参照）がチャッキングヘッド２３に係合され、ディスク４が保持される。チャッキングヘッド２３には、バネで付勢された複数のチャッキング爪２３ａが設けられている。このチャッキング爪２３ａにより、ディスク４は着脱可能に係止される。ターンテーブル２２の上面には、ディスク４の滑り止めとしてのリング状の滑り止めシート２５（図５参照）が貼り付けられている。
【００１７】
ディスクトレイ１７には、ピックアップヘッド１８及びスピンドルモータ２１を駆動する駆動基板（図示せず）が設けられており、この駆動基板は、フレキシブル基板２６により制御基板２７に接続されている。
【００１８】
次に、図２〜図５を参照して、ケース９について説明する。このケース９は、前述したように、ディスク４及びトレイユニット５を出し入れ自在に収納するケース本体７と、このケース本体７の上面を覆う上カバー８とから構成されている。ケース本体７及び上カバー８は、鉄、アルミ等の薄い金属板を板金加工することで作製される。本実施形態では、ケース本体７は０．５ｍｍのアルミ板が用いられ、上カバー８は０．２５ｍｍのアルミ板が用いられている。
【００１９】
ケース本体７は、トレイユニット収納部３１と、このトレイユニット収納部３１の横に位置するディスク収納部３２とを備えている。このディスク収納部３２は、不要なスペースをなくすために、トレイユニット収納部３１よりも底が上がっている。
【００２０】
トレイユニット収納部３１は、四角形をした底部３１ｄを囲むように、左側壁３１ａと、後端壁３１ｂと、右側壁３１ｃとが形成されている。トレイユニット収納部３１の前側は開口しており、トレイユニット５の出し入れを可能にしている。左側壁３１ａは、上カバー８を支持するために直角に折り曲げられて、断面がＬ字形をしている。右側壁３１ｃは、後端部だけが高く、残り部分は高さが低く、そのままディスク収納部３２の底部３２ａに連なっている。右側壁３１ｃの後端部の一部であって、後端壁３１ｂとの角に位置する部分は、上カバー８を支持するために直角に折り曲げられている。なお、トレイユニット収納部３１内には、仕切板（図示せず）等が取り付けられており、これらがリブの機能を果たすため、ケース本体７は剛性が高い。
【００２１】
ディスク収納部３２は、底部３２ａと、この底部３２ａから垂直に起立した側壁３２ｂとから構成されている。側壁３２ｂは、ディスク収納部３２の前側の全部と、後側の一部とが切り欠かれている。また、側壁３２ｂの一部は、上カバー８を支持するために折り曲げられている。
【００２２】
トレイユニット収納部３１の折り曲げ部と、ディスク収納部３２の折り曲げ部には、４本のビス３４ａ〜３４ｄがそれぞれ螺合するネジ孔３３ａ〜３３ｄが形成されている。上カバー８は、これらの折り曲げ部に重ねられ、ビス３４ａ〜３４ｄでケース本体７に固定される。
【００２３】
上カバー８は、ケース本体７のトレイユニット収納部３１とディスク収納部３２とを覆う形状をしている。上カバー８のほぼ中央には、ヘッド逃げ孔３６が形成されている。このヘッド逃げ孔３６は、ディスク４の回転中に、チャッキングヘッド２３が僅かに浮き上がった場合でも、チャッキングヘッド２３が接触しないようにする。
【００２４】
また、上カバー８は、前側を除いた周囲が下方に折り曲げられており、上カバー８をケース本体７に取り付けたときに、ケース本体７の左側壁３１ａ、後端壁３１ｂ、及び右側壁３１ｃの外側に重なる。さらに、上カバー８の前端は上に折り返した折り返し部３７が形成され、この折り返し部３７によって前端の剛性を高めている。なお、符号３８ａ〜３８ｄは、ビス３４ａ〜３４ｄを通すためのビス孔である。
【００２５】
上カバー８には、ヘッド逃げ孔３６と周辺部とを除いて、蛇腹状に折り曲げた凹凸部４１が形成されている。この凹凸部４１は、その谷及び山が、ディスク装填方向Ａと直交するＢ方向で、ケース本体７に支持された両端付近まで延びているから、Ｂ方向での剛性が高まる。この凹凸部４１は、周囲を下方に折り曲げる前または後に、プレス加工によって形成される。
【００２６】
上カバー８として厚みが０．２５ｍｍのアルミ板を使用し、プレス加工によって凹凸部４１を形成した。この凹凸部４１は、谷と谷の間隔、及び山と山の間隔であるピッチＰを２ｍｍとし、山（上面頂部）と谷（下面頂部）との距離Ｔを０．４５ｍｍとした。従来では、厚みが０．４５ｍｍの平らなアルミ板が使用されているが、この場合の剛性と同程度の剛性が得られた。したがって、上カバー８の厚みを薄くして４０％程度軽量化しても、剛性の低下を抑制することができる。
【００２７】
次に、ディスク装置２の作用について説明する。ディスク４を装填するとき及び取り出すときには、トレイユニット５を引出位置まで移動して行う。チャッキングヘッド２３にディスク４を装着してから、フロントカバー６を押圧すると、ディスク４は、ディスク装填方向Ａに移動して記録／再生位置にセットされ、そこで、トレイユニット５はケース９内に収納された状態でロックされる。ディスク４の回転中に、ピックアップヘッド１８は、ディスク４の半径方向に移動しながら、ディスク４にデータを記録／再生する。
【００２８】
トレイユニット５を引出位置に引き出すときには、フロントカバー６に設けられたイジェクトボタン６ａを押す。イジェクトボタン６ａを押すと、トレイユニット５は、ロックが解除されてから、イジェクトバネ１５の付勢により１０ｍｍ程度突出する。次に、フロントカバー６を指でつまんで図１及び図２に示す引出位置まで引き出す。
【００２９】
ディスク装置２の上方には、パソコン本体３ａのキーボード３ｂが設けられており、キーボード３ｂを操作すると、上カバー８が上から押されるが、上カバー８が撓むことがない。
【００３０】
また、図６に示すように、上カバー５０に、コ字形に直角に折り曲げた凹凸部５１を形成してもよい。
【００３１】
なお、上記実施形態では、凹凸部を、上カバーの前側端部から後側端部まで形成したが、上カバーは、前側端部からヘッド逃げ孔までの範囲が最も剛性が低くなるため、凹凸部は、少なくとも前側端部からヘッド逃げ孔まで形成されていればよい。
【００３２】
また、上カバーに凹凸部を形成した後、この凹凸部をプレス加工して平坦にした場合でも、加工硬化によって剛性を高めることができる。
【００３３】
さらに、上記実施形態では、ノートパソコンに内蔵するトレイタイプのディスク装置について説明したが、スロットインタイプのディスク装置や、外付けタイプのディスク装置にも、本発明を利用することができる。
【図面の簡単な説明】
【００３４】
【図１】本発明のディスク装置を備えたノート型パソコンの外観図である。
【図２】上カバーを取り外した状態でトレイユニットを引き出したときのディスク装置を示す斜視図である。
【図３】上カバーを取り外した状態でトレイユニットが収納位置にあるときのディスク装置を示す斜視図である。
【図４】トレイユニットが収納位置にあるときのディスク装置を示す斜視図である。
【図５】ディスク装置を示す側面断面図である。
【図６】コ字形の凹凸部を形成した実施形態のディスク装置を示す側面断面図である。
【符号の説明】
【００３５】
２  ディスク装置
４  ディスク
５  トレイユニット
７  ケース本体
８，５０  上カバー
１８  ピックアップヘッド
１９  ディスク駆動部
２３  チャッキングヘッド２３
４１，５１  凹凸部
【図１】
2010055701.tif 000003
【図２】
2010055701.tif 000004
【図３】
2010055701.tif 000005
【図４】
2010055701.tif 000006
【図５】
2010055701.tif 000007
【図６】
2010055701.tif 000008